(57)【要約】【課題】有機ＥＬ素子を光源とする発光モジュールを備えた発光装置において、異常がある発光素子を検知し、その発光素子の駆動を停止し、装置の破損等を抑制する。【解決手段】発光装置１は、発光モジュール２の発光素子ＥＬと、それに電力を供給する電源装置１０と、を備える。発光素子ＥＬと並列に接続された素子バイパス回路ＢＣを更に備え、発光素子ＥＬの負荷電圧に応じて、発光素子ＥＬに流れる電流を素子バイパス素子ＢＣに迂回させる。この構成によれば、負荷電圧に応じて、異常がある発光素子ＥＬを検知し、その発光素子ＥＬに流れる電流を素子バイパス素子ＢＣに迂回させて、その駆動を停止する。従って、ユーザが容易に発光素子を検知することができ、装置の破損等を抑制することができる。【選択図】図７
2016058292.tif 000002
【特許請求の範囲】
【請求項１】
発光素子と、前記発光素子に電力を供給する電源装置と、を備えた発光装置であって、
前記発光素子と並列に接続された素子バイパス回路を更に備え、
前記発光素子の負荷電圧に応じて、前記発光素子に流れる電流を前記素子バイパス素子に迂回させることを特徴とする発光装置。
【請求項２】
前記電源装置は、前記発光素子の定格電流を供給する定格電流モードと、前記定格電流に比べて微小な微小電流を供給する微小電流モードと、を実行し、
前記素子バイパス回路は、前記微小電流モードにおける前記発光素子の負荷電圧が、前記定格電流モードにおける前記発光素子の負荷電圧と、前記微小電流の値を前記定格電流の値で除した商と、の積に略一致しているときに導通することを特徴とする請求項１に記載の発光装置。
【請求項３】
前記発光素子と直列に接続された直列抵抗と並列に設けられた抵抗バイパス回路を更に備え、
前記抵抗バイパス回路は、前記素子バイパス回路が導通していないときに導通することを特徴とする請求項２に記載の発光装置。
【請求項４】
前記電源装置は、前記発光素子の点灯開始時に、前記微小電流モードを実行した後、前記定格電流モードを実行することを特徴とする請求項２又は請求項３に記載の発光装置。
【請求項５】
前記電源装置は、前記微小電流モードと前記定格電流モードとを定期的に切り替えて実行することを特徴とする請求項２乃至請求項４のいずれか一項に記載の発光装置。
【請求項６】
前記発光素子が２つ直列に接続され、前記素子バイパス回路が前記２つの発光素子に夫々並列に接続され、
前記２つの素子バイパス回路と、前記２つの発光素子の負荷電圧を夫々検出する検出回路と、前記検出回路により検出された各負荷電圧を比較する比較回路と、前記比較回路によって比較された前記負荷電圧の差に基づいて動作する判定回路と、を有する保護回路部を更に備え、
前記判定回路は、前記負荷電圧の差が所定値以上であるとき、負荷電圧が高い前記発光素子に流れる電流を該発光素子に並列に接続された前記素子バイパス回路を導通させることを特徴とする請求項１に記載の発光モジュール。
【請求項７】
前記保護回路部は、前記発光素子及び電源装置のいずれとも着脱可能となるように構成されていることを特徴とする請求項６に記載の発光装置。
【請求項８】
前記保護回路部は、前記２つの発光素子を電気的に接続するコネクタに内蔵されていることを特徴とする請求項６又は請求項７に記載の発光装置。
【請求項９】
前記保護回路部は、前記２つの発光素子に給電する配線基板上に実装されていることを特徴とする請求項６に記載の発光装置。
【請求項１０】
前記２つの発光素子が１つのデバイス内に組み込まれて発光モジュールを成すことを特徴とする請求項６又は請求項９に記載の発光装置。
【請求項１１】
前記発光素子を内蔵した平板形状の発光モジュールと、前記発光モジュールを複数個着脱可能に装着する長尺形状のベース部と、を更に備え、
前記電源装置は、前記ベース部に着脱自在となるように構成されていることを特徴とする請求項１に記載の発光装置。
【請求項１２】
前記ベース部は、その長手方向に伸びる一対の辺が互いに平行であり、
前記ベース部の短手方向の長さは、前記ベース部に装着された前記発光モジュール及び前記電源装置の、前記ベース部の短手方向における長さと等しく構成されていることを特徴とする請求項１１に記載の発光装置。
【請求項１３】
前記ベース部は、その長手方向に伸びる一方の辺及び他方の辺に亘って、夫々前記発光モジュールの装着に用いられる被係合部及び被保持部を有し、
前記発光モジュール及び前記電源装置は、前記ベース部に装着されたときに該ベース部と対峙する装着面に設けられ前記被係合部と係合する係合部と、同装着面の他端部に設けられ前記被保持部と係合する保持部と、を有することを特徴とする請求項１２に記載の発光装置。
【請求項１４】
前記ベース部は、複数の前記発光モジュール又は前記電源装置が前記ベース部の長手方向に沿って互いに隣接して装着されたときに、互いに隣接する前記発光モジュール又は前記発光モジュールの境界位置に配置され、これらを互いに電気的に接続するコネクタを有することを特徴とする請求項１３に記載の発光装置。
【請求項１５】
前記発光モジュール及び前記電源装置は、前記ベース部と対峙する装着面から立設されて前記コネクタに差し込まれる端子部を有し、
前記端子部は、前記装着面において前記係合部と前記保持部とを結ぶ方向と直交する方向における両端部に夫々設けられることを特徴とする請求項１４に記載の発光装置。
【請求項１６】
前記発光素子及び該発光素子の調光信号を制御する制御回路部が１つのデバイス内に組み込まれて発光モジュールを成し、
前記制御回路部は、前記電源装置又は隣り合う前記発光モジュールから受信した調光信号を前記発光素子の点灯回路に入力する信号入力回路と、受信した前記調光信号と同波形の伝送用調光信号を生成する波形形成部と、を備え、
前記信号入力回路は、前記電源装置又は隣り合う前記発光モジュールとの間で調光信号を送受信する２つのポートを備え、前記２つのポートの一方のポートに前記調光信号が入力されたとき、該ポートから前記点灯回路へ前記調光信号を入力すると共に、他方のポートからの前記調光信号の入力を遮断し、この他方のポートから前記波形形成部により生成された前記伝送用調光信号を出力することを特徴とする請求項１に記載の発光装置。
【請求項１７】
前記２つのポートは、前記点灯回路への前記調光信号の入力線に接続されたスイッチを夫々有し、
該スイッチは、自身が接続されたポートへの前記調光信号の入力をトリガとして、そのポートから前記点灯回路への入力線を導通させ、他方のポートから前記点灯回路への入力線を遮断することを特徴とする請求項１６に記載の発光装置。
【請求項１８】
前記２つのポートには、マイコンの入出力ポートが用いられ、初期状態として双方入力ポートに設定され、一方のポートに前記調光信号が入力されることをトリガとして、他方のポートを出力ポートに設定変更することを特徴とする請求項１６に記載の発光装置。
【請求項１９】
前記発光素子は、可撓性を有する面状光源であり、前記面状光源を支持する構造部が重ね合わされて発光モジュールを成し、
前記構造部は、塑性変形可能な形状保持材と、前記構造部を一軸方向のみに湾曲させる曲率制限部と、を有することを特徴とする請求項１に記載の発光装置。
【請求項２０】
前記面状光源は、少なくともその一方の端部が前記構造部に固定され該構造部に対して変位可能とされていることを特徴とする請求項１９に記載の発光装置。
【請求項２１】
前記曲率制限部は、前記一軸方向に形成された複数の溝により区画された複数の短冊状部材を有し、隣り合う前記短冊状部材の端部同士が接触することにより、前記構造部の湾曲を所定の曲率で制限することを特徴とする請求項１９又は請求項２０に記載の発光装置。
【請求項２２】
２つ以上の前記曲率制限部が、互いの湾曲制限方向を相反させるように設けられていることを特徴とする請求項１９乃至請求項２１のいずれか一項に記載の発光装置。
【請求項２３】
前記形状保持材は、２つ以上の前記曲率制限部の間に挟まれて配置されていることを特徴とする請求項１９乃至請求項２２のいずれか一項に記載の発光装置。
【請求項２４】
前記曲率制限部は、その外周縁に前記形状保持材の離脱を抑制する離脱抑制部を有することを特徴とする請求項２３に記載の発光装置。
【請求項２５】
前記曲率制限部は、高熱伝導性材料で構成され、前記面状光源の背面に配されることを特徴とする請求項１９乃至請求項２４のいずれか一項に記載の発光装置。
【請求項２６】
前記面状光源は、２つ以上の前記曲率制限部の間に挟まれて配置され、
前記曲率制限部の少なくとも一面が光透過性材料により構成されていることを特徴とする請求項１９乃至請求項２５のいずれか一項に記載の発光装置。
【請求項２７】
前記曲率制限部の少なくとも一面が、導光板又は拡散板として機能することを特徴とする請求項２６に記載の発光装置。
【請求項２８】
前記形状保持部は、前記面状光源に給電する又は制御信号を送信する配線として機能することを特徴とする請求項１９乃至請求項２７のいずれかの一項に記載の発光装置。
【請求項２９】
前記発光素子は、可撓性を有する面状光源であり、前記面状光源を支持する支持部が重ね合わされて発光モジュールを成し、
前記支持部は、湾曲部及び屈曲部を夫々複数含む塑性伸縮体を有することを特徴とする請求項１に記載の発光装置。
【請求項３０】
前記支持体は、前記塑性伸縮体を複数有することを特徴とする請求項２９に記載の発光装置。
【請求項３１】
前記複数の塑性伸縮体が互いに接点を有することを特徴とする請求項３０に記載の発光装置。
【請求項３２】
前記複数の塑性伸縮体が織物体を構成することを特徴とする請求項３１に記載の発光装置。
【請求項３３】
前記支持部及び前記面状光源のいずれか一方は他方と接続される少なくとも２点の接続部を有することを特徴とする請求項２９乃至請求項３２のいずれか一項に記載の発光装置。
【請求項３４】
前記接続部は、前記支持部及び前記面状光源のいずれかの端部近傍に設けられていることを特徴とする請求項３３に記載の発光装置。
【請求項３５】
前記接続部は、線状に形成されていることを特徴とする請求項３３又は請求項３４に記載の発光装置。
【請求項３６】
前記接続部は、前記支持部及び前記面状光源を接着により接続させるものであることを特徴とする請求項３３乃至請求項３５のいずれか一項に記載の発光装置。
【請求項３７】
前記接続部は、前記面状光源の裏面に設けられた突起に前記支持部を係止させるものであることを特徴とする請求項３３又は請求項３４に記載の発光装置。
【請求項３８】
請求項１乃至請求項３７のいずれか一項に記載の発光装置を備えたことを特徴とする照明装置。
【発明の詳細な説明】
【技術分野】
【０００１】
本発明は、有機ＥＬ素子を光源とする発光装置及びそれを用いた照明装置に関する。
【背景技術】
【０００２】
有機ＥＬ（Electro Luminescence）素子は、低電圧で高輝度の発光が可能であり、含有する有機化合物の種類によって様々な発光色が得られ、かつ平板状の発光パネルとしての製造が容易である。そのため、近年、有機ＥＬ素子を光源とする発光装置の開発が進められている。有機ＥＬ素子は、発光面の面積が大きいほど、光量を大きくすることができる一方で、有機ＥＬ素子の大型化は、製造装置の大型化や歩留まりの悪化などを招く虞がある。そこで、有機ＥＬ素子を光源とする発光装置では、製造が容易な大きさの有機ＥＬ素子を内蔵した発光モジュールが、複数個並べて用いられている。
【０００３】
ところが、このような複数の有機ＥＬ素子（発光素子）を並べて配置した発光装置では、特にそれらが直列接続されている場合には、いずれかの発光素子において短絡故障（ショート）が発生した状態で電流が供給され続けると、短絡故障した部分が局所的に発熱し、発光装置を損傷させる虞がある。そこで、有機ＥＬ素子のアノード及びカソード間に発生する電位差が閾値以上であるときに、定電圧を出力するように構成された閾値検出回路と、閾値検出回路の定電圧出力を定電流に変換して出力するＶＩ変換回路とを含む発光装置が知られている（例えば、特許文献１参照）。この発光装置では、有機ＥＬ素子が正常状態であるときは、ＶＩ変換回路から検出用抵抗に定電流が出力され、有機ＥＬ素子が短絡故障しているときには、ＶＩ変換回路からゼロ電流が出力される。そして、検出用抵抗の電圧値に基づいて有機ＥＬ素子が短絡故障しているか否かを検出し、異常が検出されたときに有機ＥＬ素子の駆動を停止する。
【先行技術文献】
【特許文献】
【０００４】
【特許文献１】特許５２８８０８２号公報
【発明の概要】
【発明が解決しようとする課題】
【０００５】
しかしながら、上述したような発光装置では、複数の有機ＥＬ素子のいずれかに短絡故障があることだけを検出する。そのため、正常状態にある有機ＥＬ素子を含む発光素子の駆動が停止され、ユーザは、いずれの有機ＥＬ素子に短絡故障等の異常があるか別途の検査を行う必要がある。
【０００６】
本発明は、上記課題を解決するものであって、短絡故障等の異常がある発光素子のみの駆動を停止し、ユーザが容易に有機ＥＬ素子を検知することができ、装置の破損等を抑制することができる発光装置を提供することを目的とする。
【課題を解決するための手段】
【０００７】
本発明の発光装置は、発光素子と、前記発光素子に電力を供給する電源装置と、を備えた発光装置であって、前記発光素子と並列に接続された素子バイパス回路を更に備え、前記発光素子の負荷電圧に応じて、前記発光素子に流れる電流を前記素子バイパス素子に迂回させることを特徴とする。
【発明の効果】
【０００８】
本発明によれば、発光素子の負荷電圧に応じて、異常がある発光素子を検知し、その発光素子に流れる電流を素子バイパス素子に迂回させて、その駆動を停止する。従って、ユーザが容易に発光素子を検知することができ、装置の破損等を抑制することができる。
【図面の簡単な説明】
【０００９】
【図１】（ａ）は本発明の第１の実施形態に係る発光装置の分解斜視図、（ｂ）は上記発光装置の斜視図。
【図２】上記発光装置の回路図。
【図３】上記発光装置を構成する発光モジュールの分解斜視図。
【図４】（ａ）（ｂ）は、夫々別の発光モジュールの斜視図。
【図５】上記発光モジュールを構成するコネクタのベース部への取り付けを示す図。
【図６】（ａ）乃至（ｃ）は、上記発光モジュールをベース部に装着するときの動作を示す図。
【図７】上記発光装置の具体的な回路図。
【図８】上記発光装置に用いられる発光素子の電圧特性を説明するための図。
【図９】上記発光装置の変形例における回路図。
【図１０】本発明の第２の実施形態に係る発光装置のブロック構成図。
【図１１】上記発光装置の動作例を示すフローチャート。
【図１２】上記発光装置の具体的な回路図。
【図１３】（ａ）（ｂ）は上記発光装置の動作のタイムチャート。
【図１４】上記発光装置の変形例の概念を示す回路図。
【図１５】上記変形例における発光モジュールの概念を示す回路図。
【図１６】（ａ）は上記変形例における発光モジュールの側断面構成図、（ｂ）は上面図。
【図１７】（ａ）は上記変形例の更に変形例における発光モジュールの側断面構成図、（ｂ）は上面図。
【図１８】本発明の第３の実施形態に係る発光装置に用いられる電源装置とコネクタの斜視図。
【図１９】（ａ）は上記電源装置の長手方向の側断面図、（ｂ）は出力端子を通る短手方向の側断面図、（ｃ）は入力端子を通る短手方向の側断面図。
【図２０】上記発光装置の側断面図。
【図２１】上記電源装置の具体的な回路図。
【図２２】（ａ）は上記電源装置の変形例における装着面側の斜視図、（ｂ）は（ａ）とは反対側の斜視図。
【図２３】上記電源装置の別の変形例における装着面側の斜視図。
【図２４】（ａ）（ｂ）は、本発明の第４の実施形態に係る発光装置の前提を説明するためのブロック構成図。
【図２５】上記発光装置に用いられる発光モジュールの回路図。
【図２６】（ａ）は上記発光モジュールの動作を示す回路図、（ｂ）はタイムチャート。
【図２７】（ａ）は上記発光モジュールの動作を示す回路図、（ｂ）はタイムチャート。
【図２８】上記発光モジュールの変形例のブロック図。
【図２９】上記変形例の動作を説明するフローチャート。
【図３０】（ａ）は本発明の第５の実施形態に係る発光装置に用いられる発光モジュールの斜視図、（ｂ）分解斜視図。
【図３１】（ａ）は上記発光モジュールの短手方向の側断面図、（ｂ）は長手方向の側断面図、（ｃ）は長手方向の側面図。
【図３２】（ａ）は上記発光モジュールを湾曲させたときの側面図、（ｂ）は斜視図。
【図３３】（ａ）は上記の実施形態の変形例に係る発光モジュールの斜視図、（ｂ）分解斜視図。
【図３４】（ａ）は上記発光モジュールの短手方向の側断面図、（ｂ）は長手方向の側断面図、（ｃ）は長手方向の側面図。
【図３５】（ａ）は上記の実施形態の別の変形例に係る発光モジュールの斜視図、（ｂ）分解斜視図。
【図３６】（ａ）は上記発光モジュールの短手方向の側断面図、（ｂ）は長手方向の側断面図、（ｃ）は長手方向の側面図。
【図３７】（ａ）は上記の実施形態の更に別の変形例に係る発光モジュールの斜視図、（ｂ）分解斜視図。
【図３８】（ａ）は本発明の第６の実施形態に係る発光装置に用いられる発光モジュールの斜視図、（ｂ）は別の形態の斜視図、（ｃ）は更に別の形態の斜視図。
【図３９】更に別の形態の発光モジュールの斜視図。
【図４０】（ａ）は上記発光モジュールの上面図、（ｂ）は側断面図。
【図４１】（ａ）は上記発光モジュールの突起の拡大側断面図、（ｂ）は上面図。
【発明を実施するための形態】
【００１０】
本発明の第１の実施形態に係る照明装置の一構成である発光装置について図１乃至図８を参照して説明する。図１（ａ）（ｂ）に示すように、本実施形態の発光装置１について、有機ＥＬ素子（発光素子）を光源として用いた発光モジュール２と、発光モジュール２を着脱可能に装着する長尺形状のベース部３と、を備えた構成に基づいて説明する。
【００１１】
ベース部３は、発光モジュール２に接続され発光モジュール２への給電に用いられるコネクタ４と、コネクタ４を着脱可能に取り付けるための複数のコネクタ取付部３１と、を有する。コネクタ取付部３１は、ベース部３の長手方向に沿って所定長さ毎に設けられている。
【００１２】
発光モジュール２は、１つのベース部３に対して複数個装着される。図例では、互いに大きさの異なる３つの発光モジュール２ａ、２ｂ、２ｃがベース部３に装着されている。これら発光モジュール２ａ〜２ｃは、夫々矩形平板形状とされ、各々の装着面２Ａを介してベース部３に装着される。発光モジュール２ａ〜２ｃの各々は、ベース部３に装着されたときにベース部３の長手方向に沿う辺（以下、長手方向に沿う辺という）の長さは、コネクタ取付部３１間の長さＷの整数倍となるように構成されている。また、発光モジュール２ａ〜２ｃの各々における、ベース部３に装着されたときにベース部３の短手方向に沿う辺（以下、短手方向に沿う辺という）の長さは等しい。なお、図例では、発光モジュール２ａ〜２ｃは、発光モジュール２ａ→２ｂ→２ｃの順にベース部３の長手方向に沿って互いに隣接して配置されているが、発光モジュール２の配置はこれに限らず、また、同じ大きさの複数の発光モジュール２が用いられてもよく、それらの組み合わせは任意である。
【００１３】
発光モジュール２ａ〜２ｃは、夫々の装着面２Ａに自身のベース部３への装着に用いられる係合部２１及び保持部２２を有する。係合部２１及び保持部２２は、夫々長手方向に沿う一方の辺の中央及び長手方向に沿う他方の辺の中央に設けられている。
【００１４】
また、発光モジュール２ａ〜２ｃは、夫々の装着面２Ａから立設された一対の給電端子２３、２４を有する。給電端子２３、２４は、装着面２Ａにおいて係合部２１側で、かつ係合部２１と保持部２２とを結ぶ方向と直交する方向における両端部に夫々設けられている。各給電端子２３、２４は、陽極端子２３ａ、２４ａと、陰極端子２３ｂ、２４ｂと、により夫々構成されている。これら陽極端子２３ａ、２４ａ及び陰極端子２３ｂ、２４ｂは、係合部２１と保持部２２とを結ぶ方向と平行な方向に並んで配置されている。陽極端子２３ａ、２４ａ及び陰極端子２３ｂ、２４ｂは、後述するプリント配線基板を介して互いに電気的に接続されている。
【００１５】
ベース部３は、長尺な矩形平板形状とされ、その一面が天井や壁面に取り付けられる取付面３Ａとなっている。図例では、ベース部３の長手方向の長さは、発光モジュール２ａ〜２ｃの長手方向に沿う辺の長さの合計と等しくなるように設定されている。すなわち、発光モジュール２ａ〜２ｃは、ベース部３の長手方向全長に亘って隙間なく配置される。一方、ベース部３の短手方向の長さは、発光モジュール２ａ〜２ｃの短手方向に沿う辺の長さと等しくなるように設定されている。
【００１６】
また、ベース部３は、その長手方向に伸びる一対の辺が互いに平行とされ、その一方の辺及び他方の辺に亘って、夫々発光モジュール２の係合部２１と係合する被係合部３２及び発光モジュール２の保持部２２と係合する被保持部３３を有する。上述したコネクタ取付部３１は、ベース部３において被係合部３２側に設けられている。
【００１７】
ベース部３は、その長手方向一端部の被係合部３２側に、発光モジュール２ｃの給電端子２４が挿通される入力コネクタ５を取り付けるための入力コネクタ取付穴３４を有する。入力コネクタ５は、発光モジュール２ｃの給電端子２４と商用電源又は他の発光装置１とを電気的に接続するために用いられる。また、ベース部３は、その長手方向他端部の被係合部３２側に、発光モジュール２ａの給電端子２３が挿通されるエンドキャップ３５を取り付けるためのエンドキャップ取付部３６を有する。エンドキャップ３５は、給電端子２３がむき出しにならないように給電端子２３を覆っている。入力コネクタ５及びエンドキャップ３５は、その外表面が絶縁物材料により構成されている。これにより、発光モジュール２のベース部３への装着時又は発光モジュール２の交換時等において、ユーザが給電端子２３、２４に触れて感電するのを防止したり、トラッキングを防止することができる。
【００１８】
発光モジュール２ａの保持部２２は、コネクタ取付部３１間の中間位置に対応する位置に配置され、発光モジュール２ｂ、２ｃ各々の保持部２２は、コネクタ取付部３１に対応する位置に配置される。
【００１９】
コネクタ４は、互いに隣接する発光モジュール２の境界位置に配置されるようにコネクタ取付部３１に取り付けられる。図例では、発光モジュール２ａ、２ｂの境界位置にコネクタ４が配置され、発光モジュール２ｂ、２ｃの境界位置にコネクタ４ｂが配置されている。コネクタ４には、発光モジュール２ａの給電端子２４及び発光モジュール２ｂの給電端子２３が挿通される。これら発光モジュール２ａの給電端子２４及び発光モジュール２ｂの給電端子２３は、コネクタ４内に設けられた端子受け部（不図示）により互いに電気的に接続される。コネクタ４ｂには、発光モジュール２ｂの給電端子２４及び発光モジュール２ｃの給電端子２３が挿通される。これら発光モジュール２ｂの給電端子２４及び発光モジュール２ｃの給電端子２３は、コネクタ４ｂに設けられた端子受け部により互いに電気的に接続される。
【００２０】
図２に示すように、発光装置１は、商用電源ＡＣからの交流電流を直流電流に変換するＡＣ／ＤＣコンバータ等を含む電源装置１０に接続される。電源装置１０は、発光装置１（ベース部３）が設置される天井裏や壁裏に配設されていてもよいし、後述する実施形態で示すように、発光モジュール２と同様にベース部３に装着される構成であってもよい。電源装置１０から供給された直流電流は、入力コネクタ５→発光モジュール２ｃ→コネクタ４ｂ→発光モジュール２ｂ→コネクタ４ａ→発光モジュール２ａの順で通電される。発光モジュール２ａ〜２ｃの各々に内蔵されたＤＣ／ＤＣコンバータにより所望の電圧に変圧される。ＤＣ／ＤＣコンバータは、電源装置１０又は発光モジュール２ａ〜２ｃ各々に設けられた点灯回路に収納されている。
【００２１】
図３及び図４（ａ）に示すように、発光モジュール２ａは、矩形平板状の発光パネル２５と、発光パネル２５に給電するためのプリント配線基板２６と、これら発光パネル２５及びプリント配線基板２６を収容するパッケージ２７と、を有する。
【００２２】
発光パネル２５は、有機ＥＬ素子を光源として、その発光面側から順に、透光性基板と、発光部と、発光部を封止する封止缶と、を有する（不図示）。発光部は、例えば、透光性基板側から順に、透明導電膜から成る正電極と、発光性有機材料を含む発光層と、光反射性を有する負電極と、を有する。封止缶は、発光部を外気、特に、水分及び酸素から隔離して発光部の劣化を防ぐ。
【００２３】
プリント配線基板２６は、発光モジュール２ａの陽極端子２３ａ、２４ａの各々が挿通される端子挿通部２６ａと、発光モジュール２ａの陰極端子２３ｂ、２４ｂの各々が挿通される端子挿通部２６ｂと、を有する。発光モジュール２ａの陽極端子２３ａ、２４ａ及び陰極端子２３ｂ、２４ｂは、夫々端子挿通部２６ａ、２６ｂに挿通されることでプリント配線基板２６と電気的に接続される。端子挿通部２６ａ同士及び端子挿通部２６ｂ同士は、夫々プリント配線基板２６上に設けられた配線パターン（図４において点線で示す）により互いに電気的に接続されている。
【００２４】
パッケージ２７は、矩形の箱型形状とされ、発光パネル２５の発光面とは反対側の面を覆うケース２８と、ケース２８に係合して発光パネル２５の発光面を覆う透光性のカバー２９と、を有する。上述した係合部２１及び保持部２２は、ケース２８の表面（装着面２Ａ）に設けられている。係合部２１は、保持部２２の方向とは反対側の方向に向かって伸びベース部３の被係合部３２に係合する爪２１ａを有する。
【００２５】
保持部２２は、装着面２Ａにネジ２２ａによりネジ止めされた基台２２ｂと、基台２２ｂに一端が固定され基台２２ｂから係合部２１の方向とは反対側の方向（以下、保持部２２の係合方向という）に伸びるバネ２２ｃと、バネ２２ｃの他端に固定された爪２２ｄと、を有する。爪２２ｄは、保持部２２の係合方向に向かって伸び、ベース部３の被保持部３３に係合する。また、保持部２２は、爪２２ｄからベース部３の長手方向に沿う辺と平行な方向に伸びる突起２２ｅと、装着面２Ａから立設され突起２２ｅの保持部２２の係合方向への移動を規制する規制部２２ｆと、を有する。規制部２２ｆは、突起２２ｅが嵌り込んでスライドするスライド溝（不図示）を有する。これにより、爪２２ｄは、保持部２２の係合方向に弾性付勢され、同方向においてスライド可能となる。
【００２６】
ケース２８は、発光パネル２５と対向する面に開口を有する矩形の箱体とされる。ケース２８は、その装着面２Ａに設けられ各端子２３ａ、２３ｂ、２４ａ、２４ｂの各々を外部に導出するための穴２８ａを有する。また、ケース２８は、回路基板等を収容する回路収容部２８ｂを有する。カバー２９は、発光パネル２５の発光面を覆う矩形の透光性部材から成り、ケース２８に嵌め込まれる。
【００２７】
図４（ｂ）に示すように、光源部２ｂは、夫々のベース部３の長手方向に沿う辺の長さＷが光源部２ａの２倍（２Ｗ）となっている点を除いて、図４（ａ）に示した光源部２ａと同様に構成されている。なお、光源部２ｃは、光源部２ａの４倍となっている（ここでは不図示）。
【００２８】
図５に示すように、コネクタ４は、扁平な矩形箱型形状とされ端子受け部（不図示）を収納保持する保持ケース４０を有する。保持ケース４０は、その外表面が絶縁物材料により構成され、発光モジュール２と相対する面に、発光モジュール２ａの陽極端子２４ａが差し込まれる陽極端子差込口４１と、発光モジュール２ａの陰極端子２４ｂが差し込まれる陰極端子差込口４２と、を有する。また、保持ケース４０は、同表面に、発光モジュール２ｂの陽極端子２３ａが差し込まれる陽極端子差込口４３と、発光モジュール２ｂの陰極端子２３ｂが差し込まれる陰極端子差込口４４と、を有する。更に、保持ケース４０は、その側面に自身とコネクタ取付部３１との係合に用いられる複数の突起爪４５を有する。
【００２９】
コネクタ取付部３１は、ベース部３の底面を折り曲げて形成されベース部３の長手方向からコネクタ４を挟持する一対の保持片３１ａと、保持片３１ａに設けられコネクタ４の突起爪４５と係合する窪み３１ｂと、を有する。コネクタ４は、その突起爪４５が窪み３１ｂに係合するようにコネクタ取付部３１に対して上方から押し込まれることで、着脱可能にコネクタ取付部３１に取り付けられる。
【００３０】
このように構成された発光装置１は、図１（ａ）（ｂ）に示したように、まず、ベース部３において、隣り合う発光モジュール２の境界位置であるコネクタ取付部３１に、コネクタ４が取り付けられる。発光装置１は、コネクタ４を任意のコネクタ取付部３１に着脱可能に取り付けることにより、コネクタ４の配置を変更することで発光モジュール２の配置自由度を高めることができる。
【００３１】
次に、図６（ａ）に示すように、ベース部３の被係合部３２と発光モジュール２の係合部２１とが互いに近接するように、ベース部３に対して発光モジュール２を斜めに入れ込む。続いて、図６（ｂ）に示すように、被係合部３２と係合部２１とが係合した状態で、発光モジュール２をベース部３の方向に回動させ、発光モジュール２の保持部２２とベース部３の被保持部３３とを接触させる。このとき、保持部２２がスライド可能な構造とされているので、図６（ｃ）に示すように、保持部２２の先端（爪）が、被保持部３３の凸部を乗り越えると共に、凹部に係合する。このように、保持部２２先端の傾斜を利用して、回動動作の力を、保持部２２を係合部２１の方向にスライドさせる力に変換することで、簡単に発光モジュール２を装着部３に装着することができる。そして、図１（ｂ）に示したように、複数の発光モジュール２ａ〜２ｃが、コネクタ４により互いに電気的に接続された状態で、ベース部３に装着される。また、ベース部３の最端部のコネクタ取付穴３４には、入力コネクタ５が取り付けられ、この入力コネクタ５を介して、図２に示したように、発光モジュール２が電源装置１０に電気的に接続される。
【００３２】
このように、有機ＥＬ素子（発光素子）を光源とする発光モジュール２を複数、並べて配置した発光装置１では、いずれかの発光モジュール２の発光素子において短絡故障（ショート）が発生すると、短絡故障した部分が局所的に発熱し、損傷する虞がある。そこで、照明装置１の点灯回路は、発光モジュール２の光源である有機ＥＬ素子（発光素子）と並列に接続された素子バイパス回路を備え、発光素子の負荷電圧に応じて、発光素子に流れる電流を素子バイパス素子に迂回させる。
【００３３】
具体的には、図７に示すように、発光装置１の点灯回路は、電源装置１０に接続された発光モジュール２の発光素子ＥＬに、素子バイパス回路を含む保護回路部１１が接続された回路構成を有する。なお、ここでは、電源装置１０に対して発光素子ＥＬが接続された構成を示すが、後述する実施形態でも説明するように、発光装置１には複数の発光モジュール２（発光素子）が用いられる。
【００３４】
電源装置１０は、商用電源ＡＣから供給される交流電流を直流電流に変換するＡＣ／ＤＣコンバータ１２と、発光素子ＥＬへ出力される直流定電流を生成するＤＣ／ＤＣコンバータ１３と、を有する。なお、ＡＣ／ＤＣコンバータ１２は、ダイオードブリッジ回路ＤＢ、平滑化のためのコンデンサＣ１及びトランス（不図示）、ＰＦＣ（力率改善）回路等を含む。ＤＣ／ＤＣコンバータ１３は、ＤＣ／ＤＣ制御ＩＣ及びスイッチ素子等を含む。
【００３５】
保護回路部１１は、発光素子ＥＬと並列に接続されたサイリスタＳＣＲ１と、これらの間に並列に接続されたトランジスタＴｒ１、Ｔｒ２と、を有する。トランジスタＴｒ１のベースはベース抵抗Ｒ１を介して発光素子ＥＬの陰極に接続されている。また、トランジスタＴｒ１のコレクタが抵抗Ｒ２及びトランジスタＴｒ２のベースに接続されている。トランジスタＴｒ２は、抵抗Ｒ３と直列に接続され、そのエミッタがサイリスタＳＣＲ１のゲートに接続されている。このように構成された保護回路部１１は、発光素子ＥＬと並列に接続されたサイリスタＳＣＲ１を含む回路が、発光素子ＥＬに流れる電流を迂回させるバイパス回路として機能する。
【００３６】
ところで、従来の有機ＥＬ素子を光源とする発光装置では、有機ＥＬ素子に短絡等の故障を発生した際には、検出された点灯電圧の減少に基づいて負荷への電流供給を停止し、不要な電流印加による故障箇所の発熱や、装置の破損を抑制するものがあった。しかしながら、異常がある有機ＥＬ素子においても、定格電流印可時の負荷電圧が、有機ＥＬ素子の抵抗成分によって正常な有機ＥＬ素子の点灯電圧と同等となることがあった。
【００３７】
図８は、正常な及び短絡異常がある発光素子の電圧−電流特性を示す。同中の実線（３本）は、正常な発光素子の電圧−電流特性である。発光素子の発光が開始する電圧が、点灯開始電圧Ｖ０である。また、定格電流Ｉ１のときの定格電圧はＶ１である。ここで、定格電流Ｉ１とは、発光素子が光源として連続点灯（定格輝度で連続発光）する場合の一定電流を言う。一方、図中の破線（３本）は、短絡異常がある発光素子の電圧−電流特性である。電流が０Ａの場合、電圧は０Ｖとなっており、ほぼ線形の電圧―電流特性（抵抗特性）を示している。
【００３８】
短絡異常がある発光素子の電圧―電流特性は、その短絡状態により、抵抗値（電圧に対する電流の傾き）に大きなバラツキを有している。そのため、定格電流Ｉ１を発光素子に流した場合、正常時の電圧値は概ねＶ１であるのに対して、異常時の電圧値Ｖｔｈは、大きなバラツキを有する。これに対して、微小電流Ｉ２を発光素子に流した場合は、正常時の電圧値は概ねＶ０であり、異常時の電圧値は概ね０Ｖ（数ｍＶ）である。
【００３９】
例えば、下記表１に示すように、ある有機ＥＬ素子では、定格電流Ｉ１を３００ｍＡとしたとき、正常な有機ＥＬ素子では６Ｖ（Ｖ１）の負荷電圧であったのに対して、短絡異常がある有機ＥＬ素子では０．１Ｖ（Ｖｔｈ）、抵抗成分がある異常な有機ＥＬ素子では６Ｖ（Ｖｔｈ）であった。一方、微小電流Ｉ２を１ｍＡとしたとき、正常な有機ＥＬ素子では５Ｖ（Ｖ０）の負荷電圧であったのに対して、短絡異常がある有機ＥＬ素子では０．１Ｖ（０Ｖ）、抵抗成分がある異常な有機ＥＬ素子では１８ｍＶ（０Ｖ）であった。
【００４０】
【表１】
2016058292.tif 000003
【００４１】
すなわち、微小電流Ｉ２を定格電流Ｉ１の１／３００にしたとき、異常がある有機ＥＬ素子は、いずれにおいても負荷電圧が概ね１／３３３となった。本実施形態の発光装置１では、このような定格電流Ｉ１と微小電流Ｉ２との電圧値の変化の違いに基づき、微小電流により発光素子の異常を検出し、上述した保護回路部１１（素子バイパス回路）の導通を行う。
【００４２】
発光装置１及び保護回路部１１の動作について、再び図７を参照して説明する。電源装置１０は、発光素子ＥＬの定格電流Ｉ１を供給する定格電流モードと、定格電流Ｉ１に比べて微小な微小電流Ｉ２を供給する微小電流モードと、を実行する。そして、保護回路部１１（素子バイパス回路）は、微小電流モードにおける発光素子ＥＬの負荷電圧０Ｖが、定格電流モードにおける発光素子ＥＬの負荷電圧Ｖｔｈと、微小電流Ｉ２の値を定格電流Ｉ１の値で除した商と、の積に略一致しているときに導通する。すなわち、保護回路部１１（素子バイパス回路）は、微小電流モードにおける発光素子ＥＬの負荷電圧０Ｖ≒負荷電圧Ｖｔｈ×（微小電流Ｉ２／定格電流Ｉ１）であるとき導通する。
【００４３】
より具体的には、微小電流モードで、定格電流Ｉ１に対して微小な微小電流Ｉ２を発光素子ＥＬに印加したとき、発光素子ＥＬが正常状態であれば、発光素子ＥＬの負荷電圧Ｖ１（図８も参照）が大きくなるので、発光素子ＥＬの陰極電位（トランジスタＴｒ１のベース電位）が低くなり、トランジスタＴｒ１がオンする。トランジスタＴｒ１がオンすると、トランジスタＴｒ２のベース電位が上がるので、トランジスタＴｒ２はオフとなる。トランジスタＴｒ２がオフであると、サイリスタＳＣＲ１にゲート電流が流れず、サイリスタＳＣＲ１のアノード・カソード間は導通しないので、素子バイパス回路は機能せず、正常な発光素子ＥＬに持続的に電流が流れる。
【００４４】
これに対して、発光素子ＥＬが異常状態であれば、発光素子ＥＬの負荷電圧０Ｖ（図８も参照）が極めて小さくなるので、トランジスタＴｒ１のベース電位が高くなり、トランジスタＴｒ１がオフする。トランジスタＴｒ１がオフすると、トランジスタＴｒ２のベース電位が下がるので、トランジスタＴｒ２はオンとなる。トランジスタＴｒ２がオンであると、サイリスタＳＣＲ１にゲート電流が流れ、サイリスタＳＣＲ１がオンとなるので、異常がある発光素子ＥＬから、素子バイパス回路に電流が流れる。
【００４５】
このようにして、本実施形態の発光装置１は、短絡故障等の異常がある有機ＥＬ素子（発光素子ＥＬ）のみの駆動を停止し、局部的な発熱により装置の破損等を抑制することができる。また、異常がある発光素子が点灯しないので、ユーザは容易に発光素子の異常を検知することができる。更に、電源装置１０に素子の異常を検出する構成を設ける必要がないので、不特定数の発光素子ＥＬを組み込んだ発光装置１に適用することができる。しかも、複数の発光素子ＥＬ（発光モジュール２）が接続された場合でも、電源装置１０における出力電流は変化しないので、電源装置１０の出力容量の設定が容易となり、電源装置１０の構成を簡易にすることができる。
【００４６】
また、本実施形態の発光装置１は、微小電流Ｉ２により発光素子ＥＬの異常を検出するので、定格電流Ｉ１印加時には、異常があっても抵抗成分によって正常な発光素子の点灯電圧と同等となるものでも、その異常を検出して、その発光素子の駆動を停止することができる。
【００４７】
また、電源装置１０は、発光装置１の点灯開始時において、微小電流モードを実行した後、定格電流モードを実行する。ここで、微小電流モードは、異常がある発光素子ＥＬを検出する検出期間を持ち、その発光素子ＥＬに流れる電流を素子バイパス回路に迂回させておき、その後、定格電流モードに移行する。こうすれば、異常がある発光素子ＥＬには点灯開始時に微小電流Ｉ２が流れるだけで、定格電流Ｉ１が流れないので、異常がある発光素子ＥＬの発熱による装置の破損等をより確実に抑制することができる。
【００４８】
また、電源装置１０は、微小電流モードと定格電流モードとを定期的に切り替えて実行する。例えば、定格電流モードを３０ｓ毎に、１０ｍｓの微小電流モードを実行する。こうすれば、継続的な使用により発光素子ＥＬに異常が発生した場合であっても、その異常を速やかに検出して、その発光素子ＥＬの駆動を停止することができ、また、不要な電力消費を抑制することができる。
【００４９】
次に、上記実施形態の変形例に係る発光装置について、図９を参照して説明する。本変形例の発光装置１では、保護回路部１１の構成が上記実施形態と異なる。本変形例の保護回路部１１は、発光素子ＥＬと直列に接続された直列抵抗Ｒ０と並列に設けられたサイリスタＳＣＲ２（抵抗バイパス回路）を更に備える。この抵抗バイパス回路は、素子バイパス回路（サイリスタＳＣＲ１）が導通していないときに導通するように構成されている。
【００５０】
また、保護回路部１１は、電圧安定化のためのツェナーダイオードＺＤと、発光素子ＥＬと並列に接続されたサイリスタＳＣＲ１と、これらの間に並列に接続されたトランジスタＴｒ１、Ｔｒ２と、を有する。トランジスタＴｒ１は、抵抗Ｒ２によりそのコレクタに接続され、ベースはベース抵抗Ｒ１を介して発光素子ＥＬの陰極に接続されている。また、トランジスタＴｒ１のコレクタは、抵抗Ｒ３を介してサイリスタＳＣＲ１のゲートに接続されている。また、トランジスタＴｒ２は、そのコレクタがサイリスタＳＣＲ２のゲートに接続され、ベースに抵抗Ｒ４が接続されている。
【００５１】
次に、発光装置１及び保護回路部１１の動作を説明する。微小電流モードで、定格電流Ｉ１に対して微小な微小電流Ｉ２を発光素子ＥＬに印加したとき、発光素子ＥＬが正常状態であれば、発光素子ＥＬの陰極電位が下がるので、トランジスタＴｒ１はオンせず、サイリスタＳＣＲ１にゲート電流が流れないため、素子バイパス回路は動作しない。このとき、トランジスタＴｒ１のコレクタ電位が高い状態となるので、トランジスタＴｒ２のベース電位が高くなり、トランジスタＴｒ２がオンし、サイリスタＳＣＲ２にゲート電流が流れ、サイリスタＳＣＲ２がオンして、抵抗バイパス回路が動作する。
【００５２】
これに対して、発光素子ＥＬが異常状態であれば、発光素子ＥＬの陰極電位が上がるので、トランジスタＴｒ１のベース電位が低くなり、トランジスタＴｒ１がオンする。トランジスタＴｒ１がオンすると、サイリスタＳＣＲ１にゲート電流が流れ、サイリスタＳＣＲ１がオンとなるので、異常がある発光素子ＥＬから、素子バイパス回路に電流が流れる。
【００５３】
図７に示した実施形態では、例えば、異常がある発光素子ＥＬの抵抗値が極めて低い場合には、サイリスタＳＣＲ１に十分に電流が迂回されないことが起こり得る。これに対して、図９に示した本変形例によれば、発光素子ＥＬに直列抵抗Ｒ０が接続されているので、サイリスタＳＣＲ１（素子バイパス回路）の導通時には、発光素子ＥＬ自体の抵抗値が極めて低い場合であっても、素子バイパス回路に電流が迂回される。また、サイリスタＳＣＲ１（素子バイパス回路）の非導通時には、サイリスタＳＣＲ２（抵抗バイパス回路）が導通するので、正常な発光素子ＥＬを流れる電流は直列抵抗Ｒ０ではなく、抵抗バイパス回路に流れる。そのため、正常な発光素子ＥＬの点灯時に不要な電力を消費することもない。一般に、発光素子ＥＬの抵抗値が極めて低いと、その発光素子ＥＬに大電流が流れ、発光素子ＥＬを大きく破損させる虞がある。本変形例によれば、そのような場合でも、異常がある発光素子ＥＬの電流を確実に素子バイパス回路に迂回させることができ、安全性の高い発光装置１を得ることができる。
【００５４】
本発明の第２の実施形態に係る照明装置の一構成である発光装置について、主として図１０乃至図１７を参照して説明する。図１（ａ）（ｂ）に示すように、本実施形態の発光装置１は、電源装置１０に対して複数の有機ＥＬ素子（発光素子ａ、ｂ、ｃ・・・ｚ）が直列に接続され、少なくとも２つの発光素子（本例では発光素子ａ、ｂ）に対して、上述した素子バイパス回路を含む保護回路部１１が設けられている。本実施形態は、例えば、上記図１（ａ）で示したような発光モジュール２ａを、コネクタ４を介して２つ直列に接続した構成や、発光モジュール２ｂのような長尺状のモジュールにおいて２つの有機ＥＬ素子（発光素子）が内蔵している構成に適用される。なお、保護回路部１１は、前者の例であればコネクタ４に内蔵され、後者の例であれば発光モジュール２ｂのモジュール内の点灯回路に組み込まれる。
【００５５】
図１０に示したように、保護回路部１１は、２つの発光素子ａ、ｂに夫々並列に接続された２つの素子バイパス回路ＢＣａ、ＢＣｂと、２つの発光素子ａ，ｂの負荷電圧を夫々検出する検出回路１４ａ，１４ｂと、を備える。また、保護回路部１１は、検出回路１４ａ、１４ｂにより検出された各負荷電圧を比較する比較回路１５と、比較回路１５によって比較された負荷電圧の差に基づいて動作する判定回路１６と、を有する。そして、判定回路１６は、比較回路１５によって比較された荷電圧の差が所定値以上であるとき、負荷電圧が高い発光素子ａ（又はｂ）に流れる電流Ｉをその発光素子ａ（ｂ）に並列に接続された素子バイパス回路ＢＣａ（ｂ）を導通させる。
【００５６】
図１１は、保護回路部１１の基本的な動作フローを示す。電源装置１０がオンされると、検出回路１４ａ、１４ｂが夫々発光素子ａ、ｂの負荷電圧を検出する。そして、比較回路１５によって各負荷電圧が比較され、例えば、発光素子ａ、ｂの負荷電圧の差が４Ｖ未満であれば、判定回路１６は、発光素子ａ、ｂに異常が無いと判定する。一方、発光素子ａ、ｂの負荷電圧の差が４Ｖ以上であり、発光素子ａ＜発光素子ｂであれば、判定回路１６は、発光素子ａに異常があると判定し、素子バイパス回路ＢＣａを動作させる。また、発光素子ａ、ｂの負荷電圧の差が４Ｖ以上であり、発光素子ａ＞発光素子ｂであれば、判定回路１６は、発光素子ｂに異常があると判定し、素子バイパス回路ＢＣｂを動作させる。
【００５７】
図１２は、発光装置１の具体的な回路構成を示す。なお、電源装置１０及び発光素子ａ、ｂ以外の発光素子（ｃ・・・ｚ）の図示を省略している。発光素子ａ、ｂは、電気的に直列に接続され、発光素子ａの陽極と発光素子ｂの陰極が、夫々電源装置１０（図１１参照）に接続される。素子バイパス回路ＢＣａ、ＢＣｂは、発光素子ａの陽極Ａと陰極Ｂ（発光素子ｂの陽極）、及び発光素子ｂの陰極Ｃ、とに夫々電気的に接続される。検出回路１４ａ、１４ｂは、オペアンプＯＰ１ａ、ＯＰ１ｂにより構成され、オペアンプＯＰ１ａには発光素子ａの陽極Ａ及び陰極Ｂの電圧が入力され、発光素子ａの動作電圧が出力される。これと同様に、オペアンプＯＰ１ｂには、発光素子ｂの陽極（発光素子ａの陰極Ｂ）及び陰極Ｃの電圧差が入力され、発光素子ｂの動作電圧が出力される。
【００５８】
各オペアンプＯＰ１ａ、ＯＰ１ｂの出力部には、ツェナーダイオードＺＤａ，ＺＤｂが接続され、経時変化により発光素子ａ、ｂの駆動電圧が上昇した場合は、所定の上限電圧が出力される。ここでいう上限電圧は、例えば、発光素子ａ、ｂの初期電圧の最小値と最大値間の任意の値等、経時変化により上昇した電圧よりも小さな値であり、短絡故障時の発光素子ａ、ｂの電圧よりも大きな値であれば、どのような値を用いてもよい。オペアンプＯＰ１ａ、ＯＰ１ｂから出力された各発光素子ａ、ｂの電圧は、比較回路１５に入力される。
【００５９】
比較回路１５は、コンパレータＣＭＰａ、ＣＭＰｂから成り、オペアンプＯＰ１ａ、ＯＰ１ｂから入力された各負荷電圧の差を出力する。判定回路１６は、夫々スイッチ素子等を含む発光素子ａの異常判定部１６ａ及び発光素子ｂの異常判定部１６ｂから成り、比較回路１５からの出力を受け取り、電圧差が所定の値以上になった時に素子バイパス回路ＢＣａ、ＢＣｂにトリガ信号を出力する。
【００６０】
素子バイパス回路ＢＣａ、ＢＣｂは、サイリスタＳＣＲａ、ＳＣＲｂから成り、判定回路１６からトリガ信号の入力を受けると、サイリスタＳＣＲａ、ＳＣＲｂがオンとなり発光素子ａ、ｂのいずれかの陽極、陰極間を短絡することで、発光素子ａ、ｂの保護動作を行う。
【００６１】
図１３は、保護回路部１１の動作のタイミングチャートである。図１３（ａ）は、定格動作中に発光素子ｂが短絡故障した場合の動作を示す。発光素子ｂが短絡故障し、その負荷電圧が所定の電圧値以下になると、判定回路１６の異常判定部１６ｂからトリガ信号が出力される。素子バイパス回路ＢＣａ、ＢＣｂは、判定回路１６からのトリガ信号の入力を受けると、サイリスタＳＣＲｂがオンとなり、発光素子ｂへの電流をバイパスする。
【００６２】
また、図１３（ｂ）は、発光素子ｂが短絡故障状態で発光装置１が起動された場合の動作を示す。電源装置１０は、ソフトスタートを行うので、出力電流を０Ａから次第に定格電流の電流値まで上昇させる。有機ＥＬ素子である発光素子ａは、ダイオード特性を有するので、電流が流れ始めると同時に閾値電圧まで上昇する。一方、発光素子ｂが短絡故障している場合、その抵抗特性により、負荷電圧は入力電流と比例して次第に上昇する。従って、発光素子ａ、ｂの電圧差は起動とほぼ同時に、所定の電圧差に達し、素子バイパス回路ＢＣｂは、発光素子ｂへの電流をバイパスする。
【００６３】
このようにして、本実施形態の発光装置１は、直列に接続された２つの発光素子の電位差に基づいて、短絡故障等の異常がある発光素子（有機ＥＬ素子）の駆動を停止し、局部的な発熱により装置の破損等を抑制することができる。特に、不特定多数の発光素子を一括制御しても、異常を検出し保護動作を行うことができる。
【００６４】
また、図１４に示すように、保護回路部１１は、２つの発光モジュール２ａ（ａ，ｂ）を接続するコネクタ４に内蔵され、各発光モジュール（発光素子ＥＬ（ａ）（ｂ））及び電源装置１０（図１０参照）のいずれとも着脱可能となるように構成されていてもよい（図１（ａ）も参照）。保護回路部１１を別置きの構成とすることで、接続する発光モジュール２ａ（発光素子ＥＬ）の数を容易に変更することができる。
【００６５】
なお、図示したように、陽極端子２４ａ，２３ａで結ばれる陽極線と、陰極端子２４ｂ，２３ｂで結ばれる陰極線との間に、発光素子ＥＬ及び素子バイパス回路ＢＣが配置されている場合、基本的な電流の流れは、陽極端子２４ａ→発光素子ＥＬ又は素子バイパス回路ＢＣ→陰極端子２３ｂである。従って、隣り合う発光モジュール２ａ（ａ，ｂ）を接続するコネクタ４には、発光モジュール２ａ（ａ）の陰極端子２３ｂと、発光モジュール２ａ（ｂ）の陽極端子２４ａと、を接続する回線Ｍが設けられている。また、コネクタ４に内蔵された保護回路部１１は、陽極端子２３ａ及び回線Ｍ間で発光モジュール２ａ（ａ）の発光素子ＥＬ（ａ）の負荷電圧を、陽極端子２３ａ及び回線Ｍ及び陰極端子２４ｂ間で発光モジュール２ａ（ｂ）の発光素子ＥＬ（ｂ）の負荷電圧を検出する。このようにして、保護回路部１１をコネクタ４といった周辺機器に組み込むことにより、発光装置１の構成を簡素化することができる。
【００６６】
また、図１５に示すように、保護回路部１１は、２つの発光素子ＥＬａ，ＥＬｂに給電する配線基板２５ａ上に実装されていてもよい。発光素子ＥＬａ，ＥＬｂ間には、中間電極Ｍが設けられ、保護回路部１１は、発光素子ＥＬａの陽極、中間電極Ｍ及び発光素子ＥＬｂに夫々接続される。この構成は、図４（ｂ）に示したように、１つの発光モジュール２ｂ内に２つの発光層が組み込まれた構成に好適に用いられる。この構成によれば、最小の部品数で、保護回路部１１を備えた構成を実現することができる。
【００６７】
上記図１５で示した回路構成は、直列に接続された２つの有機発光層の中間に中間電極を設けることにより実現することができる。図１６（ａ）（ｂ）は、上記のような有機ＥＬ素子を有する発光パネル２５の構成例を示す。発光パネル２５は、透明基板２５ａ’と、透明基板２５ａ’上に絶縁層２５ｂで分離された陽極層２５ｃと、分離された陽極層２５ｃの夫々の上に設けられた有機発光層２５ｄと、絶縁層２５ｅにより分離された陰極層２５ｆと、を備える。これは、封止層２５ｇにより封止される。絶縁層２５ｅは、有機発光層２５ｄ及び陰極層２５ｆとの接触を抑制する一方で、一方の陰極層２５ｆは他方の陽極層２５ｃと接触しており、この接触箇所が封止層２５ｇ外に引き出され中間電極Ｍとされる。また、一方の陽極層２５ｃと他方の陰極層２５ｆも、その一部が封止層２５ｇ外に引き出されて夫々陽極端子Ａ，陰極端子Ｂとなる。
【００６８】
図１７（ａ）（ｂ）は、２つの有機発光層２５ｄを積層させた構成である。なお、中間電極Ｍには透明な導電性材料が用いられる。これら図１６及び図１７に示した構成によれば、端子の構成が簡易となるので、モジュール内に保護回路部１１を容易に組み込むことができる。
【００６９】
なお、本実施形態で説明した構成は、上記第１の実施形態で説明した定格電流モードと、微小電流モードとの差を利用した素子バイパス回路の動作例を必ずしも適用しなくとも、独立して実施することができる。
【００７０】
本発明の第３の実施形態に係る照明装置の一構成である発光装置について、特に電源装置について、主として図１８乃至図２３を参照して説明する。上記実施形態では、図１（ａ）等に示したように、発光モジュール２ａ〜２ｂは、ベース部３に装着された状態で、ベース部３の端部に配置された発光モジュール２ｃに接続された入力コネクタ５を介して電源装置１０と電気的に接続された構成を示した（図２も参照）。そして、上記構成では、電源装置１０は、ベース部３が設置される天井裏や壁裏に配設されることを例示した（例えば、特開２０１４−０５６７２５号公報等も参照）。しかしながら、ベース部３が設置される天井裏等には電源装置１０を配設する十分なスペースが無い場合があり、ある場合でも、天井裏等への施工は面倒な作業が伴う。また、電源装置１０は、発光モジュール２の仕様や個数等を考慮して適切に選択されるが、上記実施形態のように、ベース部３に多様な発光モジュール２が装着され得る場合には、電源装置１０も適宜に取り換える必要がある。
【００７１】
そこで、図１８及び図１９（ａ）（ｂ）に示すように、本実施形態の電源装置１０は、発光モジュール２と同様に、ベース部３に着脱自在となるように構成されている。電源装置１０は、ベース部３に装着された状態で、その短手方向に沿う長さが、ベース部３の短手方向の長さと等しくなるように構成されている。これにより、例えば、複数のベース部３が複数列に並べて配置されたときでも、隣接するベース部３に装着された発光モジュール２や電源装置１０と接触することなく、電源装置１０を見栄え良くベース部３に装着することができる。
【００７２】
また、電源装置１０は、上述したＡＣ／ＤＣコンバータ等の各種回路を実装した回路基板１２６（図１９（ａ）乃至（ｃ）参照）と、それらを収容するケース１２７を備える。各種回路は、図示したように、回路基板１２６における装着面１０２Ａ側の面に実装されていてもよく、図示しないが、その反対側の面に実装されていてもよい。
【００７３】
また、ケース１２７のベース部３と対峙する装着面１０２Ａの片端部には、ベース部３の被係合部３２と係合する係合部１２１と、同装着面１０２Ａの他端部には、被保持部３３と係合するスライド可能な保持部１２２と、が設けられている（再び図１８参照）。ケース１２７は、発光モジュール２のケース２８と同様の樹脂材料等により形成される。
【００７４】
電源装置１０と発光モジュール２との電気的な接続には、発光モジュール２ａ〜２ｃ同士間を接続するコネクタ４が用いられる。このように、コネクタ４を共有化することにより、発光装置１を構成するために必要な部品点数を削減することができる。なお、図例では、後述するように、一対の給電線に加えて、信号線を加えた３極端子を備えた電源装置１０及びそれに対応するコネクタ４を示している。
【００７５】
電源装置１０は、発光モジュール２と同様に、ベース部３と対峙する装着面１０２Ａから立設されてコネクタ４に差し込まれる出力端子１２３、１２４（端子部）を有する。これら出力端子１２３、１２４は、装着面１０２Ａにおいて係合部１２１と保持部１２２とを結ぶ方向と直交する方向における両端部に夫々設けられる。出力端子１２３、１２４、陽極端子１２３ａ、１２４ａ、陰極端子１２３ｂ、１２４ｂ及び信号端子１２３ｃ、１２４ｃを有し、いずれも刃状に突出した端子である。また、電源装置１０は、外部電源線に接続される入力端子１２５を有する。入力端子１２５は、ケース１２７の中央近傍の係合部１２１及び保持部１２２の中間位置に設けられた陽極端子１２５ａ、陰極端子１２５ｂ及び信号端子１２５ｃから構成され、外部電源線が差し込まれる穴状の端子である。
【００７６】
この構成によれば、図２０に示すように、発光モジュール２と同様に、電源装置１０をベース部３に装着させると同時に、コネクタ４に出力端子１２３、１２４が差し込まれ、コネクタ４を介して発光モジュール２との電気的な接続が可能になる。
【００７７】
図２１は、電源装置１０の回路構成を示す。電源装置１０は、交流電源を直流電源に変換するためのトランスＴ、ブリッジ回路ＤＢ及び力率改善（ＰＦＣ）回路から成るＡＣ／ＤＣコンバータ回路、ＤＣ／ＤＣコンバータ回路等を含み、外部の商用電源を受けて、例えば、ＤＣ２４Ｖの定電圧を出力する。なお、図例は、フライバック式コンバータを示すが、ＡＣ／ＤＣ電力変換機能を有する電源であれば他の回路方式でもよい。また、電源装置１０は、受信部及びマイコン等の制御部から成る調光信号生成回路１８を有する。この調光信号生成回路１８は、電源装置１０に連結される発光モジュール２に調光信号を出力する。
【００７８】
このような構成によれば、電源装置１０の係合部１２１及び保持部１２２を、図６（ａ）乃至（ｃ）で示した発光モジュール２と同様にして、ベース部３の被係合部３２及び被保持部３３に係合させることにより、電源装置１０をベース部３に取り付けることができる。これにより、本実施形態の発光装置１によれば、天井裏等に電源装置１０を配設する十分なスペースが無い場合でも、また、面倒な施工作業を要せずに、電源装置１０を容易に取り付けることができる。また、保持部１２２がスライド自在とされているので、ベース部３からの電源装置１０の取り外しも容易であり、発光モジュール２の特性等に適応した電源装置１０に適宜に交換することができる。
【００７９】
なお、図２２に示すように、電源装置１０は、ケース１２７の外側に延設された出力端子１２８を有し、この出力端子１２８には、端子受け溝１２８ａ、１２８ｂ、１２８ｃが形成された構成であってもよい。この構成によれば、電源装置１０の出力端子１２８の各端子受け溝１２８ａ等に、発光モジュール２の給電端子２３、２４の各端子２３ａ等を、直接的に接続することができ、電源装置１０と発光モジュール２との間の接続にはコネクタ４を用いる必要がなく、部品点数を削減することができる。
【００８０】
また、調光信号生成回路１８が、発光モジュール２側（又はそれ以外）に設けられている場合には、電源装置１０は、調光信号生成回路１８を有していない構成であってもよい。この場合、図２３に示すように、出力端子１２３は、信号端子がなく、陽極端子１２３ａ及び陰極端子１２３ｂのみを有していればよい。また、出力端子１２３は、一方の端部に設けられ、他方の端部には入力端子１２５が設けられていてもよい。この構成によれば、回路構成が簡易になるので電源装置１０を簡素化及び小型化することができる。また、例えば、図４（ａ）に示したような１×１タイプの発光モジュール２ａと上面視形状が同じ大きさの電源装置１０を得ることができる。
【００８１】
なお、本実施形態で説明した構成は、上記第１及び第２の実施形態で説明した素子バイパス回路を必ずしも適用しなくとも、独立して実施することができる。
【００８２】
本発明の第４の実施形態に係る照明装置の一構成である発光装置について、主として図２４乃至図２９を参照して説明する。図２４（ａ）に示すように、例えば、複数の発光モジュール２が、夫々２つのポートを有しており、それらがＰＷＭ調光信号の信号線Ｌ１及び接地線Ｌ２に並列で接続されている場合、各発光モジュール２では、一方が入力ポートとして、他方が送り配線ポートとして機能する。しかしながら、この場合、各発光モジュール２の入力ポートの容量成分が足し合わされていくので、ＰＷＭ調光信号の波形が鈍ることがある。
【００８３】
また、図２４（ｂ）に示すように、入力ポートがＰＷＭ調光信号を受信した後、受信したＰＷＭ調光信号と同じ波形のＰＷＭ調光信号を生成して送り配線ポートに出力するものもある。しかしながら、この場合、入力ポートと送り配線ポートが固定されるので、発光モジュール２の配置方向に制約が生じる。例えば、上記第３の実施形態で示したような電源装置１０は、装置両端に夫々出力端子１２３、１２４を有しており、それら両端子に夫々発光モジュール２が接続され得る。この場合、電源装置１０と接続された側のポート（給電端子）が入力ポートとなり、電源装置１０と接続されていない側のポートが送り配線ポートとなる。従って、発光モジュール２及び電源装置１０の配置自由度を高めるためには、各ポートが入力ポート及び送り配線ポートのいずれとしても機能するように構成されていることが望ましい。本実施形態の発光装置１は、上記要請を実現するものである。
【００８４】
図２５に示すように、本実施形態の発光装置１は、発光素子ＥＬと、発光素子ＥＬの調光信号を制御する制御回路部１９が１つのデバイス内に組み込まれた発光モジュール２が用いられている。制御回路部１９は、電源装置１０又は隣り合う発光モジュール２から受信した調光信号を発光素子ＥＬの点灯回路１９ａ（Ｄ／Ａ回路１９ｂ）に入力する信号入力回路１９ｃと、受信したＰＷＭ調光信号と同波形の伝送用調光信号を生成する波形形成部１９ｄと、を備える。なお、本例では、ＰＷＭ調光信号を用いるので、このデジタル信号を点灯回路１９ａに入力されるアナログ信号に変換するＤ／Ａ回路１９ｂが組み込まれる。
【００８５】
信号入力回路１９ｃは、電源装置１０又は隣り合う発光モジュール２との間で調光信号を送受信する２つのポートＰ１、Ｐ２を備え、例えば、一方のポートＰ１に調光信号が入力されたとき、ポートＰ１から点灯回路１９ａへ調光信号を入力すると共に、他方のポートＰ２からの調光信号の入力を遮断し、この他方のポートＰ２から波形形成部１９ｄにより生成された伝送用調光信号を出力する。２つのポートＰ１、Ｐ２は、点灯回路１９ａへの調光信号の入力線に接続されたスイッチＳＷ１、ＳＷ２を夫々有し、スイッチＳＷ１、ＳＷ２は、自身が接続されたポートＰ１、Ｐ２への調光信号の入力をトリガとして、そのポートから点灯回路１９ａへの入力線を導通させ、他方のポートから点灯回路１９ａへの入力線を遮断する。
【００８６】
具体的には、信号線Ｌ１に４つのスイッチＳ１、Ｓ２、Ｓ３、Ｓ４が配置され、その中間であるスイッチＳ２、Ｓ３間から点灯回路１９ａへの入力線が導出されている。スイッチＳ１、Ｓ４は初期状態でクローズとされており、スイッチＳＷ１、ＳＷ２は、自身が接続されたポートＰ１、Ｐ２への調光信号の入力をトリガとして、スイッチＳ２、Ｓ３を夫々開閉し、そのポートから点灯回路１９ａへの入力線を導通又は遮断する。
【００８７】
例えば、図２６に示すように、ポートＰ１に調光信号が入力された場合、スイッチＳＷ１がオンとなり、スイッチＳ２及びスイッチＳ６をクローズにする一方、初期状態でオンであったスイッチＳ４をＮＯＴ１を介してオープンにする。これにより、スイッチＳＷは、自身が接続されたポートＰ１への調光信号の入力をトリガとして、ポートＰ１から点灯回路１９ａへの入力線（スイッチＳ２）を導通させ、他方のポートＰ２から点灯回路１９ａへの入力線（スイッチＳ４）を遮断する。また、スイッチＳ６をクローズとすることで、他方のポートＰ２から波形形成部１９ｄにより生成された伝送用調光信号が出力される。
【００８８】
一方、図２７に示すように、ポートＰ２に調光信号が入力された場合、スイッチＳＷ２がオンとなり、スイッチＳ３及びスイッチＳ５をクローズにする一方、初期状態でオンであったスイッチＳ１をＮＯＴ２を介してオープンにする。これにより、スイッチＳＷは、自身が接続されたポートＰ２への調光信号の入力をトリガとして、ポートＰ２から点灯回路１９ａへの入力線（スイッチＳ３）を導通させ、他方のポートＰ１から点灯回路１９ａへの入力線（スイッチＳ１）を遮断する。また、スイッチＳ５をクローズとすることで、他方のポートＰ１から波形形成部１９ｄにより生成された伝送用調光信号が出力される。
【００８９】
このように、本実施形態の発光装置１によれば、発光モジュール２に設けられた２つのポートＰ１、Ｐ２が入力ポート及び送り配線ポートを兼用でき、且つ複数の発光モジュール２をＰＷＭ調光信号の信号線に並列接続で接続した場合でも、ＰＷＭ調光信号の波形が鈍らないようにすることができる。
【００９０】
また、本実施形態によれば、発光モジュール２の数が増えても、電源装置１０の出力電流が増えないので、電源装置１０における調光信号の出力容量の設計が容易になる。また、調光信号入力の容量成分が増えないので、Ｐ発光モジュール２の数が増えても、ＷＭ調光信号の波形が鈍ることがなく、調光比を一定に維持することができる。
【００９１】
上記実施形態の変形例について、図２８及び図２９を参照して説明する。本変形例では、図２８に示すように、上記実施形態の信号入力回路１９ｃの動作を、マイコン１９ｅにより実現するものであり、上記ポートＰ１、Ｐ２がマイコン１９ｅの入出力ポート［１］［２］に割り当てられる。そして、図２９に示すように、マイコン１９ｅでは、発光モジュール２が電源装置１０に接続されたとき、ＰＷＭポートの設定が完了しているかを確認する。ＰＷＭポートの設定が完了している場合には、受信したＰＷＭ調光信号に基づいて調光レベルを設定し、発光素子ＥＬを点灯制御する。一方、ＰＷＭポートの設定が完了していない場合、まず入出力ポート［１］に調光信号の入力があるかを確認し、入出力ポート［１］に調光信号の入力がある場合、入出力ポート［２］を出力ポートに設定し、受信した調光信号を入出力ポート［２］から出力する。一方、入出力ポート［１］に調光信号の入力がない場合、入出力ポート［２］に調光信号の入力があるかを確認し、入出力ポート［２］に調光信号の入力がある場合、入出力ポート［１］を出力ポートに設定し、受信した調光信号を入出力ポート［１］から出力する。これにより、上記実施形態で示した信号入力回路１９ｃと同様の動作を実行することができる。
【００９２】
なお、本実施形態で説明した構成もまた、上記第１及び第２の実施形態で説明した素子バイパス回路を必ずしも適用しなくとも、独立して実施することができる。
【００９３】
本発明の第５の実施形態に係る照明装置の一構成である発光装置について、主として図３０乃至図３７を参照して説明する。ところで、有機ＥＬ素子は、発光層が有機高分子材料から形成されるので、基板等に可撓性を有する透明材料を用いれば、フレキシブル発光素子を得ることができる。しかしながら、フレキシブル発光素子を構成する材料には、伸縮性を有するものと伸縮性の無いものが含まれ、伸縮性の無い材料を無理に湾曲させようとすると、素子が破損する虞がある。そこで、伸縮性の無い材料を蛇腹形状に加工することで、素子に取り付けられた状態で伸縮するように構成された面状照明装置が知られている（例えば、特許４９８７５４号公報）。このものは、蛇腹状となった反射シートが、素子が反射シート側に凹となるように湾曲させられたときに、蛇腹の凸部同士が接触して、所定以上の湾曲を抑制することができる。
【００９４】
しかしながら、この種のフレキシブル発光素子では、湾曲されたときにその状態で形状を保持することができない。また、フレキシブル発光素子は、過度に屈曲されると有機層が破損して短絡する虞がある。本実施形態の発光装置は、湾曲されたときにその状態で形状を保持することができ、また、過度に屈曲されることを抑制することができるフレキシブル発光素子を有する発光モジュールを備えたものである。
【００９５】
図３０（ａ）（ｂ）及び図３１（ａ）乃至（ｃ）に示すように、本実施形態の発光装置に用いられる発光モジュール６は、可撓性を有する面状光源であるフレキシブル発光素子（以下、発光素子２０）と、この発光素子２０を支持する構造部７が重ね合わされて構成される。また、構造部７は、塑性変形可能な帯長状の形状保持材８と、構造部７を一軸方向のみに湾曲させる曲率制限部７１、７２と、を有する。
【００９６】
発光素子２０は、柔軟性を有する基板上に有機ＥＬ層及び電極層等の機能層が積層されており、所定の曲率まで曲げることができる。本例では、発光素子２０は、帯長形状に形成されている。
【００９７】
構造部７は、形状保持部が２つの曲率制限部７１、７２によって挟まれた構造であり、一方の曲率制限部７２の両端には、略Ｌ字形状の光源保持部７２ａが配置されている。光源保持部７２ａは発光素子２０の発光面に略垂直方向に飛び出た爪状の構造である。光源保持部７２ａは、発光素子２０の周縁の非発光部内に重なるように配置されることが好ましい。
【００９８】
形状保持材８は、塑性変形可能な薄板上の部材であり、例えば、スズなど、降伏応力の小さな材料が好適に用いられる。本実施形態において、形状保持材８は、発光素子２０と略同じ大きさの帯長形状に形成されている。
【００９９】
曲率制限部７１、７２は、発光素子２０の発光面に垂直方向に分かれた２面からなり、夫々異なる方向の曲率を制限する。曲率制限部７１、７２は、夫々上記一軸方向に形成された複数の溝７３ａ、７３ｂ（図３１（ｃ）の拡大図参照）により区画された複数の短冊状部材７１ａ、７２ｂを有する。各短冊状部材７１ａ、７２ｂは、形状保持材８に接着されている。短冊状部材７１ａ、７２ｂの曲げ軸方向の側壁はテーパ状になっており隣り合う短冊状部材７１ａ、７２ｂの端部同士が接触することにより、構造部７の湾曲を所定の曲率で制限する。各短冊状部材７１ａ、７２ｂのテーパの向きは互いに反対に向けて開放する形状になっている。
【０１００】
例えば、曲率半径７５ｍｍで、長さ２００ｍｍの発光素子２０を用いた発光装置において、短冊状部材７１ａ、７２ｂの幅が１０ｍｍである場合、テーパの角度は、下記式（１）に従い、鉛直方向に対して約３．８２°となる（図３１（ｃ）参照）。
【０１０１】
【数１】
2016058292.tif 000004
【０１０２】
このとき、発光モジュール６は、図３２（ａ）（ｂ）に示すように、曲率制限部７１、７２で制限された所定の曲率（図例では１５２°）まで湾曲させることができ、それ以上の過度の湾曲や屈曲を抑制することができる。従って、過度の湾曲等により発光素子２０の有機層の物理的な破損等を抑制することができる。また、曲率制限部７１、７２は、複数の短冊状部材７１ａ、７２ｂから構成され、定間隔で形成された溝７３ａ、７３ｂを有するので、発光モジュール６は溝７３ａ、７３ｂの位置でのみ変形する。そのため、発光モジュール６を湾曲させたとき、曲率が一律の美しい円弧形状を得ることができる。更に、形状保持材８により、上記円弧形状を維持することができる。
【０１０３】
発光素子２０は、少なくともその一方の端部が構造部７（曲率制限部７２）に固定され、構造部７に対して変位可能とされている。そのため、曲げ動作時に、発光素子２０は、光源保持部７２ａの爪構造の下をスライドすることで、発光モジュール６の厚みによる発光素子２０と構造部７とのズレを逃がし、発光素子２０にかかる応力を低減することができる。
【０１０４】
本実施形態では、２つの曲率制限部７１、７２が、互いの湾曲制限方向を相反させるように設けられている。こうすれば、凹凸両方向の曲げに対して過度な湾曲や屈曲を防止することができる。また、形状保持材８は、２つの曲率制限部７１、７２の間に挟まれて配置されている。こうすれば、曲率制限部７１、７２が形状保持材８のカバーとして機能するので、形状保持材８は、溝７３ａ、７３ｂに対応する位置以外では変形せず、形状保持材８の不用意な変形を抑制することができる。
【０１０５】
また、曲率制限部７１、７２は、その外周縁に形状保持材８の離脱を抑制する離脱抑制部を有する。具体的には、各曲率制限部７１、７２の形状保持材８と対向する面には、凹み７１ｂ、７２ｃが形成されており、これらの凹み７１ｂ、７２ｃに形状保持材８が収容され、凹み７１ｂ、７２ｃの外縁が形状保持材８の離脱を抑制する離脱抑制部として機能する。こうすれば、形状保持材８を曲率制限部７１、７２に接着する必要がなく、曲げ動作時に、形状保持材８が凹み７１ｂ、７２ｃ内で変異するので、形状保持材８にかかる応力を低減でき、形状保持材８の構造劣化を抑制することができる。
【０１０６】
次に、上記実施形態の変形例について、図３３及び図３４を参照して説明する。図３３（ａ）（ｂ）及び図３４（ａ）乃至（ｃ）に示すように、本変形例に係る発光モジュール６は、発光素子２０、曲率制限部７１、７２及び形状保持材８が、外郭７４によって保持されている。外郭７４は、曲率制限部７１に沿って設けられた底面７４ａと、この底面７４ａから屈曲して形成された保持枠７４ｂと、を有する。
【０１０７】
本変形例では、各曲率制限部７１、７２の溝７３ａ，７３ｂの幅は、例えば、曲率半径７５ｍｍで、長さ２００ｍｍの発光素子２０であって、曲率制限部７１、７２の厚みが１ｍｍの場合、下記式（２）に従い、約０．１３３ｍｍとなる。（図３４（ｂ）の拡大図参照）。
【０１０８】
【数２】
2016058292.tif 000005
【０１０９】
また、本変形例では、発光素子２０と接する曲率制限部７２は、その材料に、例えば、アルミや銅といった熱伝導性の高い材料が用いられる。この曲率制限部７２が、発光素子２０に密着（接着）されることで、発光素子２０で発生した熱を放熱することができる。また、もう一方の曲率制限部７１は、外郭６の底面に貼り付けられる。なお、曲率制限部７１は、曲率制限部７２とは異なる面に溝構造を有していてもよい。また、曲率制限部７１に用いられる材料は、熱伝導率が高い材料である必要はない。
【０１１０】
外郭７４は、例えば、ゴムやシリコーンといった柔軟性を持った材料で構成され、発光モジュール６の少なくとも一組の対向する側面と底面、発光素子２０の表面の周縁の一部を覆うことにより、発光素子２０と構造部７とを一体化する。また、外郭７４は、形状保持材８と曲率制限部７とを接着せずに保持することができ、曲げ動作時に形状保持材８に加わる応力が面全体に分散し、形状保持材８の構造劣化を抑制することができる。
【０１１１】
次に、上記実施形態の別の変形例に係る発光モジュールについて、図３５及び図３６を参照して説明する。図３５（ａ）（ｂ）及び図３６（ａ）乃至（ｃ）に示すように、本変形例の発光モジュール６は、発光素子２０及び形状保持材８が、２つの曲率制限部７１、７２によって挟まれた構造になっている。一方の曲率制限部７２は短辺側の両端に、曲率制限部７１と嵌合するための略Ｌ字形状の爪構造７２ｄを有し、また、曲率制限部７１は凹部７１ｃを有し、これら爪構造７２ｄが凹部７１ｃに嵌合することで、発光素子２０及び形状保持材８を保持する構造部７の外郭が固定される。
【０１１２】
発光素子２０と接触する曲率制限部７２は、例えば、アクリル樹脂等の透光性樹脂から形成され、発光素子２０とは反対側の表面に、光を拡散する拡散処理が施されている。この構成によれば、発光素子２０から出射された光は、曲率制限部７２を透過・拡散されて発光モジュール６外へ照射される。すなわち、構造部７自体がフレキシブルな発光素子２０を保護するケースとして機能する。また、曲率制限部７２が光拡散性を有することにより、例えば、発光素子２０の周縁に非発光部がある場合でも、発光モジュール６全体として、均一な面発光を得ることができる。
【０１１３】
次に、上記実施形態の更に別の変形例に係る発光モジュールについて、図３７（ａ）（ｂ）を参照して説明する。本変形例の発光モジュール６は、電源装置１０と電気的に接続されて発光素子２０へ給電するための給電構造を備え、形状保持材８が給電線として機能するものである。
【０１１４】
形状保持材８は、離間して配置された２枚の導電性部材８ａ、８ｂと、それらの間に配される絶縁板８ｃと、を有する。導電性部材８ａ、８ｂは、上記実施形態及び変形例と同様に、塑性変形可能な物性を有する。絶縁板８ｃは、導電性に加えて、所定の柔軟性を有する。導電性部材８ａ、８ｂは、一方の端部に夫々給電部８１ａ，８１ｂが延設され、他方の端部に夫々接続部８２ａ、８２ｂが延設される。発光素子２０の一方の端部にも、接続部２０ａ、２０ｂが延設され、これら接続部８２ａ、８２ｂ及び２０ａ、２０ｂが、クリップ８３ａ、８３ｂで接続される。
【０１１５】
また、給電部８１ａ，８１ｂは互いに幅が異なっており、電源装置１０の端子受け溝の幅がそれに対応しているので、発光モジュール６を電源装置１０に装着する際に、誤って給電部８１ａ，８１ｂを逆に取り付ける誤りを防止することができる。なお、曲率制限部７１の一部が延出された支持部７１ａ、７１ｂが、給電部８１ａ，８１ｂを構造的に支持する。
【０１１６】
本変形例によれば、形状保持材８を構成する導電性部材８ａ、８ｂが、発光素子２０の給電構造を兼ねる。そのため、別途の配線構造を設ける必要がなく、発光モジュール６の構成を簡易にすることができる。また、図示したように、電源装置１０に対して立設させるように発光モジュール６を装着し、この発光モジュール６を湾曲変形させれば、意匠性に富んだユニークな発光装置及びそれを用いた照明器具を得ることができる。
【０１１７】
本発明の第６の実施形態に係る照明装置の一構成である発光装置について、主として図３８乃至図４１を参照して説明する。従来から、上記第５の実施形態で用いられたフレキシブルな発光素子に対して、形状記憶機能のある薄板を一体化することにより、発光素子の形状を保持することができるようにした発光装置が知られている（例えば、特開２０１３−２１０４９１号公報参照）。
【０１１８】
しかしながら、フレキシブルな発光素子に、形状記憶機能のある薄板を全面的に接着すると、湾曲時の内径差により、形状記憶機能のある薄板よりも強度の低い有機ＥＬ素子が薄板に引っ張られ、有機ＥＬ素子の表面が波打って見栄えが悪くなる虞がある。本実施形態の発光装置に用いられる発光モジュールは、フレキシブルな発光素子を簡単な構成で形状維持できるように、且つ湾曲時に不要な力を発光素子に与えないようにする。
【０１１９】
図３８（ａ）に示すように、本実施形態の発光装置に用いられる発光モジュール６は、可撓性を有する面状光源であるフレキシブル発光素子（以下、発光素子２０）と、この発光素子２０を支持する支持部９が重ね合わされて構成される。
【０１２０】
支持部９は、湾曲部９ａ及び屈曲部９ｂを夫々複数含む塑性伸縮体９０を有する。塑性伸縮体９０は、塑性変形する線状の繊維質材料であり、図３８（ａ）に示したように、発光素子２０の背面に、少なくとも１つは配置される。塑性伸縮体９０は、１つであっても二次元的な広がりを有しており、所定の面積に波状に配置される。また、図３８（ｂ）に示すように、塑性伸縮体９０を複数にすれば、広範囲に塑性伸縮体９０を設けることができる。
【０１２１】
この構成によれば、発光モジュール６を、発光素子２０の発光面を内側に湾曲させたときには、屈曲部９ｂが広がって、湾曲部９ａ同士の隙間が大きくなり、塑性伸縮体９０の全長が伸び、塑性伸縮体９０は、その形状を維持する。一方、発光モジュール６を、発光素子２０の背面を内側に湾曲させたときには、屈曲部９ｂが狭まって、湾曲部９ａ同士の隙間が小さくなり、塑性伸縮体９０の全長が縮み、塑性伸縮体９０は、その形状を維持する。
【０１２２】
また、支持部９及び発光素子２０のいずれか一方は、他方と接続される少なくとも２点の接続部９１を有する。線状の繊維質材料である塑性伸縮体９０を、比較的少ない接続部９１で発光素子２０に取り付けることにより、フレキシブルな発光素子２０を簡単な構成で形状維持でき、且つ湾曲時に不要な力を発光素子２０に与えないようにすることができる。なお、接続部９１は、支持部９及び発光素子２０のいずれかの端部近傍に設けられていることが好ましい。こうすれば、発光モジュール６を湾曲させたときに、支持部９と発光素子２０との間に距離が空きやすくなり、不要な力をより発光素子２０に与え難くすることができる。
【０１２３】
また、図３８（ｃ）に示すように、支持部９は、複数の塑性伸縮体９０が互いに接点を有するように構成されていることがより好ましい。これにより、湾曲時に、塑性伸縮体９０同士が複雑に変形するので、塑性伸縮体９０を様々な形状に変形させることができ、発光モジュール６を任意の形状に変形させると共に、その形状を維持することができる。また、このとき、図示したように、接続部９１は、線状に形成されていることが好ましい。こうすれば、多数の塑性伸縮体９０を、発光素子２０に不要な力をかけない程度に好適に固定することができる。接続部９１には、支持部９及び発光素子２０を接着剤により接続させれば、簡易にそれらを固定することができる。
【０１２４】
図３９及び図４０（ａ）乃至（ｃ）は、支持部９が、織物体９２として構成されているものである。織物体９２は、二次元だけでなく、三次元的な広がりを有しているので（特に図４０（ｂ）参照）、より大きな範囲で伸縮することができ、発光モジュール６をより多様な形状に変形させることができる。
【０１２５】
また、支持部９が、織物体９２として構成されている場合、図４１（ａ）（ｂ）に示すように、接続部９１として、発光素子２０の裏面に設けられた突起９３に支持部９を係止させることが好ましい。こうすれば、織物体９２の網目に突起９３を係止させるだけなので、容易に支持部９を発光素子２０に取り付けることができる。
【０１２６】
なお、本発明に係る発光装置及びそれを用いた照明装置は、上記実施形態及びその変形例に限定されず、種々の変形が可能である。上述した第１〜第６の実施形態は、いずれも独立して実施することができ、他の実施形態と組み合わせて実施するか否かは任意である。特に、第５及び第６の実施形態は、上記第１〜４の実施形態で説明した構成を適用しなくともよいし、組み合わせて実施してもよい。また、上記第１〜第４の実施形態で示したような、発光モジュール２をベース部３に装置させる形態は、第３の実施形態を除き、発光装置を構成する上での例示に過ぎない。また、発光モジュール２の発光素子は、有機ＥＬ素子に限定されず、例えば、ＬＥＤにも適用することができる。
【符号の説明】
【０１２７】
１  発光装置
１０  照明装置
１１  保護回路部
１２１  係合部
１２２  保持部
１０２Ａ  装着面
１４ａ、１４ｂ  検出回路
１５  比較回路
１６  判定回路
１９  制御回路部
１９ｄ  波形形成部
１２３、１２４    出力端子（端子部）
２  発光モジュール
２０  発光素子（面状光源）
２５ａ    配線基板
３  ベース部
３２  保持部
３３  被保持部
４  コネクタ
４１  接続部
４２  突起
７  構造部
７１、７２  曲率制限部
７１ｂ、７２ｃ  凹み（離脱抑制部）
８  形状保持材
９  支持部
９ａ  湾曲部
９ｂ  屈曲部
９０  塑性収縮体
９１  接続部
９２  織物体
ＢＣ、ＢＣ１、ＢＣａ、ＢＣｂ  素子バイパス回路
ＢＣ  抵抗バイパス回路
ＥＬ  発光素子
Ｐ１、Ｐ２  ポート
Ｒ０  直列抵抗
ＳＷ１、ＳＷ２  スイッチ
【図１】
2016058292.tif 000006
【図２】
2016058292.tif 000007
【図３】
2016058292.tif 000008
【図４】
2016058292.tif 000009
【図５】
2016058292.tif 000010
【図６】
2016058292.tif 000011
【図７】
2016058292.tif 000012
【図８】
2016058292.tif 000013
【図９】
2016058292.tif 000014
【図１０】
2016058292.tif 000015
【図１１】
2016058292.tif 000016
【図１２】
2016058292.tif 000017
【図１３】
2016058292.tif 000018
【図１４】
2016058292.tif 000019
【図１５】
2016058292.tif 000020
【図１６】
2016058292.tif 000021
【図１７】
2016058292.tif 000022
【図１８】
2016058292.tif 000023
【図２１】
2016058292.tif 000024
【図２２】
2016058292.tif 000025
【図２３】
2016058292.tif 000026
【図２４】
2016058292.tif 000027
【図２５】
2016058292.tif 000028
【図２６】
2016058292.tif 000029
【図２７】
2016058292.tif 000030
【図２８】
2016058292.tif 000031
【図２９】
2016058292.tif 000032
【図３０】
2016058292.tif 000033
【図３１】
2016058292.tif 000034
【図３２】
2016058292.tif 000035
【図３３】
2016058292.tif 000036
【図３４】
2016058292.tif 000037
【図３５】
2016058292.tif 000038
【図３６】
2016058292.tif 000039
【図３８】
2016058292.tif 000040
【図３９】
2016058292.tif 000041
【図４０】
2016058292.tif 000042
【図４１】
2016058292.tif 000043
【図１９】
2016058292.tif 000044
【図２０】
2016058292.tif 000045
【図３７】
2016058292.tif 000046